(57)【要約】【課題】鉱物に湯を十分接触させることにより温泉効果を効率よく発揮させ、また雑菌等の増殖を抑えることを可能にした簡易な温泉器を提供する。【解決手段】上半部が半球状の浮体２と下半部が上面の開口した半球状の容器３とを開口面側で着脱可能に連結し、浮体２の中央部の上下方向に所定の断面積を有し容器３の開口面に連通する通水孔５を設け、容器３には多数の小孔６を形成し、該容器３内に磁石８と温泉効果を有する鉱物９とを収容する。【選択図】　図６
2004130155.tif 000002
【特許請求の範囲】
【請求項１】
上半部が半球状の浮体と下半部が上面の開口した半球状の容器とを開口面側で着脱可能に連結し、前記浮体の中央部の上下方向に所定の断面積を有し前記容器の開口面に連通する通水孔を設け、前記容器には多数の小孔を形成し、該容器内に磁石と温泉効果を有する鉱物とを収容したことを特徴とする温泉器。
【請求項２】
容器内に磁石を中央部に保持する保持具を設けた請求項１に記載の温泉器。
【請求項３】
浮体の通水孔の上端部を大きく面取りした請求項１又は２に記載の温泉器。
【発明の詳細な説明】
【０００１】
【発明の属する技術分野】
本発明は、浴槽中の浴湯に浮かべて浴湯を活性化する簡易な温泉器に関する。
【０００２】
【従来の技術】
従来、トルマリン（電気石）、湯の華鉱石（華鉱石）、麦飯石などの鉱物には遠赤外線を放射して体を温め、また各種ミネラル成分を溶出する等の温泉効果があることが知られている。かかる鉱物による温泉効果を十分に発揮させるには、鉱物に湯を良く接触させることが重要である。
ところで、磁石とセラミックにより水を活性化する装置として、特開平１１−２７７０６８号公報には、円形の本体に上下方向に貫通する通水口を設け、本体内に磁石とセラミックボールを収容したものが示されている。しかしながら、かかる装置では、通水口が本体を上下に貫通しているため、セラミックボールに水が良く接触するような工夫がなされていない。
また、温泉効果をもつ鉱物の中には麦飯石のように浴湯中での雑菌等の増殖を抑える効果が小さく、長く使用していると雑菌等が増殖し易いものもある。
【０００３】
【発明が解決しようとする課題】
そこで本発明は、鉱物に湯を十分接触させることにより温泉効果を効率よく発揮させ、また雑菌等の増殖を抑えることを可能にした簡易な温泉器を提供することを目的とする。
【０００４】
【課題を解決するための手段】
上記課題を解決するために、本発明による温泉器は、上半部が半球状の浮体と下半部が上面の開口した半球状の容器とを開口面側で着脱可能に連結し、前記浮体の中央部の上下方向に所定の断面積を有し前記容器の開口面に連通する通水孔を設け、前記容器には多数の小孔を形成し、該容器内に磁石と温泉効果を有する鉱物とを収容したこと、を特徴としている。
ここで、容器内に磁石を中央部に保持する保持具を設けるとよい。
また、浮体の通水孔の上端部を大きく面取りするとよい。
【０００５】
【発明の実施の形態】
以下本発明の実施の形態を図面に基づいて説明する。図１は本発明の第１実施例を示す断面図、図２は図１の底面図、図３は図１の平面図、図４は使用状態を説明する断面図、図５は第２実施例を示す図１相当の断面図、図６は第３実施例の使用状態を説明する断面図である。
【０００６】
図１において、本発明の実施例による温泉器１は、上半部が半球状で所定の浮力を有する浮体２と、下半部が上面が開口した半球状の容器３とを開口面側で螺子嵌合（４）させて着脱可能に連結して合体させたもので、上半部の浮体２には中央部の上下方向に所定の断面積を有して容器３の開口面に連通する通水路５を設けてある。
【０００７】
また、下半部の容器３には多数の小孔６を形成して、容器３内外を通水可能としてある。容器３内の中央部には、上下方向に突起状の保持具７を突出形成してあり、該保持具７にリング状の磁石８を嵌合させて保持するようにしてある。そして、容器３内には適当な大きさに砕いたトルマリン（電気石）、湯の華鉱石（華鉱石）、麦飯石などの温泉効果を有する鉱物９を多数収容してある。
【０００８】
図１、４、５においては、保持具７を容器３の開口面まで突出形成し、鉱物９をバラのまま容器３内に収容したものを示したが、図６に示すように、保持具３の突出量を抑えて収容部を広くし、鉱物９を網袋１５に入れて容器３内に収容するとよい。
【０００９】
本発明において、容器３内に収容可能な鉱物９としては、遠赤外線を放射し、カルシウム、マグネシウム、カリウム、ナトリウム、アルミニウム、鉄、イオウなど各種のミネラル成分を溶出し、或いはマイナスイオンを発生する鉱物、例えば、トルマリン、湯の華鉱石、麦飯石、サンゴ化石、カルシウム鉱石、ブラックストーン、ブラックシリカ、貝化石などが挙げられ、これらの１種又は適宜に組み合わせた２種以上のものを用いることができる。なお、これらの鉱物を原料として焼成したセラミックスを収容してもよい。
【００１０】
なお、図１に示した温泉器１の寸法は、直径が約１４ｃｍ、高さが約１２ｃｍである。また、通水孔５の直径は約３ｃｍで、蛇口１０の口径より十分大きくしてある。容器３内に収容する鉱物９の量は５００〜６００ｇ程度としてある。なお、これらの数値は一例であって、適宜変更可能である。
【００１１】
上半部の浮体２の浮力は、容器３内に磁石８と鉱物９とを収容した状態で、浴湯に浮遊する程度にしてある（図４、図６）。この浮体２は、図１においては、開口面側を仕切壁１１で仕切り、内部に空気室１２を設けて浮力をもたせたものを示したが、図５、図６に示すように、空気室に換え発泡スチロール材１４など浮力の大きな資材を充填して浮力をもたせるようにするとよい。
【００１２】
上半部の浮体２と下半部の容器３とを着脱可能としたので、使用により鉱物９が汚れた場合には、容器３を浮体２から取外し、鉱物９を取り出して洗浄することが可能である。図６に示すように、鉱物９を網袋１５に入れて収容するようにすれば、洗浄する際に網袋１５ごと取り出してもみ洗いなどすればよく、取り扱い易くなる。リング状の磁石８を保持具７で保持するようにしたので、使用中、浴槽内で揺らしても、質量の大きな磁石８が動くことなく、バランスが崩れることがない。なお、磁石８は湯（水）中で錆びにくく、また劣化しないものを用いる。
【００１３】
次に、本発明による温泉器１の使用法を説明する。本発明による温泉器１は、浴槽に蛇口１０から湯を流す際に、浴槽内に放置しておくだけでよい。蛇口１０から流れ出る湯が浴槽内に溜まると、蛇口１０から流れ出る湯が落下する所に生ずる負圧によって、温泉器１は浮遊しながら蛇口１０の下方の湯の落下地点へと移動していく。このため、蛇口１０から流れ出る湯は温泉器１の通水孔５内に流下することになる。この場合、通水孔５の上端部を大きく面取り（１３）して通水孔５の入り口を大きく開けておけば、通水孔５内に流下する湯量はより多くなり好ましい。そして、浮体２の通水孔５内に流下した湯は、容器３内に流下し、容器３内に収容した鉱物９の間を通過した後、小孔６を通って外に流れ出る（図４、図６）。
【００１４】
鉱物９は、各種ミネラル成分を溶出し、また遠赤外線を放射して体を温め、マイナスイオンを発生し心身をリラックスさせるなどの温泉効果を有する。このような鉱物９の効能を十分に発揮させるには、鉱物９に湯をよく接触させることが重要である。本発明による温泉器１によれば、通水孔５内に流下した湯のほとんどが容器３内に流下し、鉱物９の間を通過して容器３の外へと流れるので、効率よく湯を鉱物９に接触させることができる。なお、入浴中、温泉器１を湯浴中で振るなどすれば、ミネラル成分の溶出がさらに促進され、温泉効果も高まる。
【００１５】
上記鉱物の中には麦飯石のように、各種雑菌や大腸菌等の増殖を抑制する効果が小さいものもあり、これに磁石８を併用することにより、その抑制効果が高められ、より長い期間に亘って使用が可能となる。これを確認するため、次のような試験を行った。浴槽内に約１８０リットルの湯を溜め（湯温約４０℃）、麦飯石１ｋｇを網袋に入れ浴湯中で強く揺すった後、大人２人が入浴した。約１２時間後、浴湯の上澄みを５０ｍｌ×２サンプル採取した。その内一方のサンプルには小型の磁石を混入させ、他方のサンプルはそのままとした。それぞれのサンプルを２０℃で２７時間放置した後、一般細菌（雑菌）と大腸菌群とを計量した。計量方法は衛生試験法に基づいた。
【００１６】
その結果、磁石を混入させたサンプルでは、一般細菌が７８万個／ｍｌ、大腸菌群が２個／ｍｌであったのに対し、磁石を混入させないサンプルでは、一般細菌が３２０万個／ｍｌ、大腸菌群が１７個／ｍｌであった。このように、磁石を混入させたものに比べ、磁石を混入させないサンプルでは、一般細菌が約４倍、大腸菌群が８．５倍に増えた。このことから、麦飯石に磁石８を併用させることによって、雑菌等の増殖を抑えることができることがわかる。
【００１７】
【発明の効果】
以上説明したように、請求項１に係る発明によれば、浴槽内に放置しておくだけで、蛇口から流下する湯を鉱物に接触させることができ、鉱物による温泉効果を有効に引き出すことができる。また、鉱物と磁石とを併用することにより、雑菌等の増殖を抑え、長期に亘る使用が可能となる。
また、請求項２に係る発明によれば、磁石が容器内の中央部に保持されるので、バランスが崩れることがない。
また、請求項３に係る発明によれば、蛇口から通水孔内に流下する湯量がより多くなり、より多くの湯を鉱物に接触させることができる。
【図面の簡単な説明】
【図１】本発明の第１実施例を示す断面図。
【図２】図１の底面図。
【図３】図１の平面図。
【図４】使用状態を説明する断面図。
【図５】第２実施例を示す図１相当の断面図。
【図６】第３実施例の使用状態を説明する断面図。
【符号の説明】
１　温泉器
２　浮体
３　容器
４　螺子部
５　通水孔
６　小孔
７　保持具
８　磁石
９　鉱物
１０　蛇口
１１　仕切壁
１２　空気室
１３　面取り部
１４　発泡スチロール材
１５　網袋
【図１】
2004130155.tif 000003
【図２】
2004130155.tif 000004
【図３】
2004130155.tif 000005
【図４】
2004130155.tif 000006
【図５】
2004130155.tif 000007
【図６】
2004130155.tif 000008